(57)【要約】      （修正有）【課題】使用者自ら調整できる歯ブラシを提供する。【解決手段】歯をブラッシングするためのブラシ部２と、前記ブラシ部に延設される把持部３とを含む歯ブラシ１であって、前記ブラシ部は、ヘッド４１と、ネック４２と、を含むブラシ部本体４と、前記ブラシ部本体の前記ヘッドに着脱可能に取り付けられ、毛束が基台に植設されて形成されたブラシユニット５と、を含む。【選択図】図１
2017131333.tif 000002
【特許請求の範囲】
【請求項１】
歯をブラッシングするためのブラシ部と、前記ブラシ部に延設される把持部とを含む歯ブラシであって、
前記ブラシ部は、
ヘッドと、ネックと、を含むブラシ部本体と、
前記ブラシ部本体の前記ヘッドに着脱可能に取り付けられ、毛束が基台に植設されて形成されたブラシユニットと、を含む
ことを特徴とする歯ブラシ。
【請求項２】
請求項１に記載の歯ブラシであって、
前記歯ブラシは、前記ヘッドに取り付ける前記ブラシユニットの位置を調整することによって、前記毛束の配置位置を調整することができる
ことを特徴とする歯ブラシ。
【請求項３】
請求項１又は２に記載の歯ブラシであって、
前記ブラシ部は、２以上の前記ブラシユニットを含み、
前記歯ブラシは、前記ヘッドに取り付ける前記ブラシユニットの数を調整することによって、ブラッシングの際の前記毛束の数を調整することができる
ことを特徴とする歯ブラシ。
【請求項４】
請求項１又は２に記載の歯ブラシであって、
前記ブラシ部は、前記毛束の数が異なる２以上の前記ブラシユニットを含み、
前記歯ブラシは、前記ブラシ部本体に取り付ける前記ブラシユニットを取り替えることによって、ブラッシングの際の前記毛束の数を調整することができる
ことを特徴とする歯ブラシ。
【請求項５】
請求項１〜４のいずれか一項に記載の歯ブラシであって、
さらに、取付用具が備えられ、
前記ブラシユニットは、前記取付用具を用いて、前記歯ブラシの長手方向と直交する方向に着脱可能に取り付けられる
ことを特徴とする歯ブラシ。
【請求項６】
請求項１〜４のいずれか一項に記載の歯ブラシであって、
前記ブラシ部は、さらに、連結具を含み、
前記ブラシユニットは、前記連結具を用いて、前記歯ブラシの長手方向に着脱可能に取り付けられる
ことを特徴とする歯ブラシ。
【請求項７】
請求項６に記載の歯ブラシであって、
前記ブラシ部は、さらに、調整具を含み、
前記歯ブラシは、前記調整具を用いて、前記毛束の間隔を調整することができる
ことを特徴とする歯ブラシ。
【請求項８】
請求項１〜７のいずれか一項に記載の歯ブラシであって、
前記歯ブラシは、前記ブラシ部本体と前記把持部とが一体に形成されている
ことを特徴とする歯ブラシ。
【請求項９】
請求項１〜７のいずれか一項に記載の歯ブラシであって、
前記歯ブラシは、前記ブラシ部が前記把持部に着脱可能に接続されている
ことを特徴とする歯ブラシ。
【請求項１０】
請求項１に記載の歯ブラシであって、
前記ブラシユニットは、複数の前記ブラシユニットを含むブラシユニットシートから小分けされたものである
ことを特徴とする歯ブラシ。
【請求項１１】
請求項１０に記載の歯ブラシであって、
前記ブラシユニットシートは、複数の前記基台を含む基台シートに前記毛束を植設して形成されたものである
ことを特徴とする歯ブラシ。
【請求項１２】
請求項１〜１１のいずれか一項に記載の歯ブラシであって、
前記歯ブラシは、さらに、軟質素材で形成され、少なくとも前記ヘッド及び前記ブラシユニットの前記基台の露出部分を覆う部材である被覆具を含む
ことを特徴とする歯ブラシ。
【請求項１３】
請求項１〜１１のいずれか一項に記載の歯ブラシであって、
前記ブラシ部本体は、さらに、軟質素材で形成され、少なくとも前記ヘッドを覆う部分である被覆部を含み、
前記被覆部は、前記ブラシユニットを取り付けるための前記ヘッドのブラシ孔を背面側から覆う
ことを特徴とする歯ブラシ。
【請求項１４】
請求項１２又は１３に記載の歯ブラシであって、
前記軟質素材には、粉体が混合されている
ことを特徴とする歯ブラシ。
【発明の詳細な説明】
【技術分野】
【０００１】
本発明は、歯ブラシに関する。
【背景技術】
【０００２】
通常の歯ブラシは、ブラシ部に２０〜２４タフト（房ないし束）の毛束が植設されている。しかし、歯間の汚れや歯周ポケット内の汚れは、このような歯ブラシではとれにくい。
【０００３】
そのため、このような歯ブラシでは磨きにくい歯間などの隙間を清掃するためのワンタフト歯ブラシが提案されている。例えば、特許文献１には、このようなワンタフト歯ブラシが提案されている。
【先行技術文献】
【特許文献】
【０００４】
【特許文献１】特許第５１５４８２７号公報
【発明の概要】
【発明が解決しようとする課題】
【０００５】
しかしながら、上記特許文献１に記載のワンタフト歯ブラシは、毛束の一端を溶着してから毛束基部や尾栓と組み立てた後でなければ、歯ブラシ本体に取り付けることができないため、構造が煩雑で、コストがかかる。
【０００６】
また、歯の状態（歯の大きさ・並び・位置等の生理的状態）や汚れ状態（汚れの位置・種類等）は使用者によって異なるため、ワンタフト歯ブラシのような通常の歯ブラシとは異なる専用歯ブラシは、使用者自らが調整できることが望ましい。
【０００７】
本発明は、上記課題の少なくも一つを解決するためのもので、使用者自ら調整できる歯ブラシを提供することを目的とする。
【課題を解決するための手段】
【０００８】
そこで、上記課題を解決するために、本発明に係る歯ブラシは、歯をブラッシングするためのブラシ部と、前記ブラシ部に延設される把持部とを含む歯ブラシであって、前記ブラシ部は、ヘッドと、ネックと、を含むブラシ部本体と、前記ブラシ部本体の前記ヘッドに着脱可能に取り付けられ、毛束が基台に植設されてなるブラシユニットと、を含む。
【０００９】
また、前記歯ブラシは、前記ヘッドに取り付ける前記ブラシユニットの位置を調整することによって、前記毛束の配置位置を調整することができてもよい。
【００１０】
また、前記ブラシ部は、２以上の前記ブラシユニットを含み、前記歯ブラシは、前記ヘッドに取り付ける前記ブラシユニットの数を調整することによって、ブラッシングの際の前記毛束の数を調整することができてもよい。
【００１１】
また、前記ブラシ部は、前記毛束の数が異なる２以上の前記ブラシユニットを含み、前記歯ブラシは、前記ブラシ部本体に取り付ける前記ブラシユニットを取り替えることによって、ブラッシングの際の前記毛束の数を調整することができてもよい。
【００１２】
また、さらに、取付用具が備えられ、前記ブラシユニットは、前記取付用具を用いて、前記歯ブラシの長手方向と直交する方向に着脱可能に取り付けられてもよい。
【００１３】
また、前記ブラシ部は、さらに、連結具を含み、前記ブラシユニットは、前記連結具を用いて、前記歯ブラシの長手方向に着脱可能に取り付けられてもよい。
【００１４】
また、前記ブラシ部は、さらに、調整具を含み、前記歯ブラシは、前記調整具を用いて、前記毛束の間隔を調整することができてもよい。
【００１５】
また、前記歯ブラシは、前記ブラシ部本体と前記把持部とが一体に形成されてもよい。
【００１６】
また、前記歯ブラシは、前記ブラシ部が前記把持部に着脱可能に接続されてもよい。
【００１７】
また、前記ブラシユニットは、複数の前記ブラシユニットを含むブラシユニットシートから小分けされたものであってもよい。
【００１８】
また、前記ブラシユニットシートは、複数の前記基台を含む基台シートに前記毛束を植設してなるものであってもよい。
【００１９】
また、前記歯ブラシは、さらに、軟質素材で形成され、少なくとも前記ヘッド及び前記ブラシユニットの前記基台の露出部分を覆う部材である被覆具を含んでもよい。
【００２０】
また、前記ブラシ部本体は、さらに、軟質素材で形成され、少なくとも前記ヘッドを覆う部分である被覆部を含み、前記被覆部は、前記ブラシユニットを取り付けるための前記ヘッドのブラシ孔を背面側から覆ってもよい。
【００２１】
また、前記軟質素材には、粉体が混合されていてもよい。
【発明の効果】
【００２２】
本発明によれば、使用者自ら調整できる歯ブラシを提供することができる。
【図面の簡単な説明】
【００２３】
【図１】実施形態１に係る歯ブラシを説明するための図で、図１（ａ）はその全体図、図１（ｂ）は部分拡大図である。
【図２】実施形態１に係る歯ブラシのブラシユニットの取付けを説明するための図である。
【図３】実施形態１に係る歯ブラシのブラシユニットを説明するための図である。
【図４】実施形態２に係る歯ブラシを説明するための図で、図４（ａ）はその平面図、図４（ｂ）はその正面図、図４（ｃ）はブラシ部の組立てを説明するための図である。
【図５】実施形態２に係る歯ブラシの他の例を説明するための図である。
【図６】実施形態３に係る歯ブラシを説明するための図で、図６（ａ）はその平面図、図６（ｂ）はその正面図、図６（ｃ）はブラシユニットを説明するための図である。
【図７】実施形態３に係る歯ブラシのブラシユニットの取付けを説明するための図である。
【図８】実施形態３に係る歯ブラシのブラシ部の他の例を説明するための図である。
【図９】実施形態３の変形例１に係る歯ブラシのブラシ部を説明するための図である。
【図１０】実施形態４に係る歯ブラシの一例を説明するための図である。
【図１１】実施形態４に係る歯ブラシの他の例を説明するための図である。
【図１２】実施形態５に係る歯ブラシを説明するための図である。
【発明を実施するための形態】
【００２４】
以下、図面を参照して本発明に係る実施形態の例を説明する。本願においては、各構成部分の説明に当たり、歯ブラシの全体の長手（長さ）方向を「長手方向」とし、歯ブラシ全体の短手方向を「幅方向」とする。また、歯ブラシの植毛面側の面を「正面」とし、その対向面を「背面」とし、その間の面を「側面」とする。また、正面の方向を「上方」とし、裏面方向を「下方」とする。
【００２５】
＜実施形態１＞
図１は、実施形態１に係る歯ブラシ１を説明するための図で、図１（ａ）はその全体図、図１（ｂ）は部分拡大図である。歯ブラシ１は、ブラシ部２と、把持部３とを含む。
【００２６】
ブラシ部２は、ブラシ部本体４と、ブラシ部本体４に着脱可能に取り付けられるブラシユニット５とを含む。ブラシ部２は、一例として、図示のように一つのブラシユニット５を含む。なお、後述の実施形態のように複数のブラシユニット５を含んでもよい。
【００２７】
把持部３は、ブラシ部２に延設されてブラッシングの際に使用者が把持する部分で、ここでは、ブラシ部本体４と一体に形成される。
【００２８】
ブラシ部本体４は、ヘッド４１と、ネック４２とを含む。ヘッド４１は、ブラシユニット５が取り付けられる部分で、図示のように略矩形に形成されてもよいし、円形や楕円形、三角形等の形状に形成されてもよい。好ましくは、ヘッド４１は、角に丸みのある形状に形成される。
【００２９】
一例として、ヘッド４１には、ブラシユニット５を取り付けるためのブラシ孔４１１が設けられる。また、ブラシ孔４１１には、ネジ山（雌ネジ）４１２が設けられる。
【００３０】
ブラシユニット５は、毛束５１が基台５２に植設されて形成される。ブラシユニット５は、一例として図示のように１束（タフト）の毛束が植設されてもよいし、複数束の毛束が植設されてもよい。
【００３１】
毛束５１は、ブラッシングの目的やブラシユニット５に含まれる数等によって所定の太さとすることができる。また、使用者の年齢層によって太さを設定することができる。例えば、主に歯周ポケット内の清掃に用いられるときは細く、長く、例えば、根元部分の直径を１ｍｍ〜４ｍｍ、高さ（長さ）を７ｍｍ〜１６ｍｍに設定することができる。また、例えば、主に歯間や奥歯と歯茎の間等の清掃に用いられる場合は、比較的太く（用毛の数を多く）、根元部分の直径を３ｍｍ〜６ｍｍ、高さ（長さ）を５ｍｍ〜１０ｍｍに設定することができる。また、図示しないが、毛束５１の先端は、中心から外周にかけて高さが漸次短くなるように形成してもよい。毛束５１には、ナイロンやポリエステル等の樹脂素材又は天然素材の用毛を用いることができ、又はこれらを２種以上組み合わせたものを用いてもよい。また、毛束に用いられる用毛は、先端の形状が例えば円錐形状や円柱形状等のものを用いることができ、また、異なる形状のものを用いてもよい。さらには、二つ以上の毛束を隣接させてあたかも一つの毛束のようにしてもよい。
【００３２】
基台５２は、一例として、図示のように略円柱体状に形成される。基台５２には略中央に毛束５１を植設するための毛束孔５２１が設けられる。基台５２及び毛束孔５２１は、必要とする毛束の太さに応じて適宜な大きさに形成することができ、基台５２は、例えば、直径を３ｍｍ〜８ｍｍとすることができる。基台５２にはポリプロピレンやポリエステル等の樹脂素材が用いられる。
【００３３】
一例として、基台５２の外周の上段部（毛束５１に近い部分）には、ヘッド４１に取り付けるためのネジ山（雄ネジ）５２２が設けられる。また、基台５２の外周の下段部には、後述の取付用具１０と係合するための凹部５２３が設けられる。
【００３４】
歯ブラシ１は、ブラシユニット５がブラシ本体４に取り付けられた状態で使用者に提供されてもよいし、使用者自ら取り付けるように、ブラシユニット５が別体に提供されてもよい。また、毛束の太さや長さ、毛束の数が異なる複数のブラシユニット５を提供して、使用者が歯の汚れ状態等に合わせて取り付けて使用するようにしてもよい。
【００３５】
ブラシユニット５のブラシ本体４への取付けは、直接にブラシユニット５をブラシ孔４１１に捻じ込む等して取り付けてもよいし、例えば、図２（ａ）に示すような取付用具１０を用いてもよい。
【００３６】
取付用具１０は、取付部１１と掴み部１２とを含む。取付部１１には取付孔１１１が設けられ、取付孔１１１の内壁には対向して二つの凸部１１２が設けられる。
【００３７】
ブラシユニット５をヘッド４１に取り付ける際には、まず、図２（ｂ）に示すように、ブラシユニット５を、毛束５１をブラシ孔４１１に挿通させてヘッド４１に仮止めする。次に、図２（ｃ）に示すように、取付用具１０にブラシユニット５を取付用具１０の凸部１１２とブラシユニット５の凹部５２３が係合するように挿入させる。最後に、取付用具１０の掴み部１２を回動させて、ブラシユニット５のネジ山５２２とヘッド４１のネジ山を螺合させて、取付けを完了する。
【００３８】
次に、歯ブラシ１の製造過程の一例を説明する。把持部３及びブラシ部本体４は、従来技術を用いて製造することができ、例えば、合成樹脂を用いて射出成型機で成形することによって製造される。
【００３９】
ブラシユニット５は、図３（ａ）に示すように、複数のブラシユニット５を含むブラシユニットシート５００を小分けして得られる。
【００４０】
ブラシユニットシート５００は、図３（ｂ）に示すように、複数の基台５２を含む基台シート５０１に毛束５１を植設して得られる。この植毛加工は、従来技術を用いて行うことができる。例えば、植毛機械を用いて、Ｕ字状に半分に折った毛束５１を、平線Ｈと共に、基台シート５０１の各基台５２の毛束孔５２１に植え込むことによって行われる。
【００４１】
基台シート５０１は、例えば、射出成形機を用いて、合成樹脂を加熱溶融させ、金型に射出・注入して成形して得られる。基台シート５０１に含まれる基台５２の数は適宜設定することができる。また、隣接の基台５２は連結部５０２によって連結されている。連結部５０２は射出成形時のランナー部分であってもよい。
【００４２】
すなわち、まずは、射出成形工程で複数の基台５２を含む基台シート５０１を成形する。次に、植毛工程で基台シート５０１に毛束５１を植え込んでブラシユニットシート５００とする。最後に、ブラシユニットシート５００から各ブラシユニット５を小分けする（連結部５０２から切り離す）。
【００４３】
なお、図３（ｃ）に示すように、基台５２が直方体に形成され、基台シート５０１が隣接の基台５２の間に溝が形成されているシート状に形成されてもよい。この場合、ブラシ部本体４のヘッド４１のブラシ孔４１１は矩形に形成される。
【００４４】
なお、ブラシユニット５の取付けは、ヘッド４１にスリット（図示せず）が形成され、ブラシユニット５を基台５２側から嵌め込むようにしてもよい。
【００４５】
歯ブラシ１は、ブラシユニット５を使用者が取り扱いやすい形態に形成することによって、使用者自ら自身の歯の状態や歯の汚れ状態に適合した歯ブラシ１と調整することができる。また、毛束の太さや長さ、毛束の数が異なる複数のブラシユニット５を提供して、使用者が歯の汚れ状態等に合わせて調整して取り付けることができる。
【００４６】
＜実施形態２＞
図４は、実施形態２に係る歯ブラシ１ａを説明するための図で、図４（ａ）はその平面図、図４（ｂ）はその正面図、図４（ｃ）はブラシ部の組立てを説明するための図である。図５は、実施形態２に係る歯ブラシ１ａの他の例を示す図である。歯ブラシ１ａは、ブラシ部２ａと、把持部３ａと、を含む。
【００４７】
ブラシ部２ａは、ブラシ部本体４ａと、ブラシ部本体４ａに着脱可能に取り付けられるブラシユニット５ａと、を含む。ブラシ部２ａは、一例として、図４に示のように３つのブラシユニット５ａを含む。また、図５に示すように１つのブラシユニット５ａを含んでもよい。
【００４８】
ブラシ部２ａは、把持部３ａとは別体に形成され、把持部３ａに着脱可能に組み立てられる。把持部３ａは、把持側接続部３１ａと、第１指掛け部３２ａと、第２指掛け部３３ａと、握り部３４ａと、を含む。
【００４９】
把持側接続部３１ａは、一例として筒状に形成され、その内壁面に長手方向に延びるスリット３１１ａが設けられる。
【００５０】
第１指掛け部３２ａは、指通し孔３２１ａが設けられてリング状に形成される。図示の指通し孔３２１ａは、楕円形であるが、円形や三角形等他の形状であってもよい。また、第１指掛け部３２ａに貫通孔ではなく凹み部分を設けるようにしてもよい。
【００５１】
第１指掛け部３２ａは、幅方向（短手方向）の両辺である二つの帯部３２２ａが細く形成される。一例として、帯部３２２ａの幅は３ｍｍ〜６ｍｍの範囲内である。帯部３２２ａを細く形成することによって、所定の可撓性を持たせて、ブラッシングの際の無駄な力を逃がせることができる。また、第１指掛け部３２ａを、図示のように他の部分より上下方向（厚み方向）における幅が薄く形成することで、さらに可撓性を備えやすくすることができる。
【００５２】
第２指掛け部３３ａは、一例として、図示のように、第１指掛け部３２ａより、短手方向の幅が広く形成される。
【００５３】
ブラシ部本体４ａは、ヘッド４１ａと、ネック４２ａと、ブラシ側接続部４３ａとを含む。ヘッド４１ａは、図示のように略楕円形に形成されてもよいし、三角形や矩形等他の形状に形成されてもよい。好ましくは、ヘッド４１ａは、角に丸みのある形状に形成される。
【００５４】
ヘッド４１ａは、ブラシユニット５ａが取り付けられる部分である。ヘッド４１ａは、一例として、図示のように、３つのブラシユニット５ａが取り付けられる。
【００５５】
ネック４２ａは、一例として、ヘッド４１ａより細く形成される。ブラシ側接続部４３ａは、一例として、図示のように棒状に形成され、その外周に長手方向に延びる凸部が形成される。
【００５６】
ブラシユニット５ａは、毛束５１ａが基台５２ａに植設されて形成される。ブラシユニット５ａは、一例として、図示のように、４つの毛束５１ａが植設される。ブラシユニット５ａは、その他の点については、実施形態１に係るブラシユニット５と同様であるため、その説明を省略する。
【００５７】
歯ブラシ１ａは、ブラシ部２ａと把持部３ａとを、ブラシ側接続部４３ａの凸部を把持側接続部３１ａのスリット３１１ａに合わせて嵌め込むことによって、組み立てられる。
【００５８】
本実施形態に係る歯ブラシ１ａは、さらに、ブラッシングの目的に合わせて取り付けるブラシユニットの数や位置を調整することができる。また、ブラシ部全体を取り替えることもできるため、使用者が、さらにブラッシングの目的や歯の状態に合わせて調整できる幅が広くなる。
【００５９】
＜実施形態３＞
図６は、実施形態３に係る歯ブラシ１ｂを説明するための図で、図６（ａ）はその平面図、図６（ｂ）はその正面図、図６（ｃ）はブラシユニットを説明するための図である。図７は、ブラシユニットの取付けを説明するための図である。図８は、ブラシ部の他の例を説明するための図である。歯ブラシ１ｂは、ブラシ部２ｂと、把持部３ａと、を含む。
【００６０】
ブラシ部２ｂは、ブラシ部本体４ｂと、ブラシ部本体４ｂに着脱可能に取り付けられるブラシユニット５ｂと、連結具６とを含む。
【００６１】
ブラシ部２ｂは、把持部３ａとは別体に形成され、把持部３ａに接続されて組み立てられる。把持部３ａは実施形態２と同様であるため、その説明を省略する。
【００６２】
ブラシ部本体４ｂは、ヘッド４１ｂと、ネック４２ｂと、ブラシ側接続部４３ａとを含む。一例として、ネック４２ｂは、ヘッド４１ｂより細く形成され、ヘッド４１ｂとブラシ側接続部４３ａとの間で、一定の角度で下方に傾斜するように形成される。
【００６３】
ヘッド４１ｂは、ブラシユニット５ｂが取り付けられる部分である。ヘッド４１ｂには、長手方向に、後述の連結具６を挿入するための挿入孔（図示せず）が二つ設けられる。また、好ましくは、上記挿入孔からヘッド４１ｂの両側面に挿通する係止孔４４ｂが設けられる。
【００６４】
ブラシユニット５ｂは、毛束５１ｂが基台５２ｂに植設されて形成される。ブラシユニット５ｂは、一例として、図示のように、４つの毛束５１ｂが植設される。
【００６５】
ブラシユニット５ｂの基台５２ｂは、図示のように、略立方体状に形成される。また、基台５２ｂには、長手方向に貫通する連結孔５２４ｂが設けられる。連結孔５２４ｂは、図示のように、毛束孔を避けて、短手方向の両端部近辺に二つ設けられる。
【００６６】
連結具６は、略「コ」の字状に形成される部材で、胴部６１と、胴部６１から長手方向に突出して形成される二つの足部６２とを含む。好ましくは、胴部６１は、足部６２が形成される面が略平面状に形成され、その反対側の面が凸面状に形成される。足部６２の末端には、係止爪６２１が設けられる。
【００６７】
ブラシユニット５ｂは、連結具６によってヘッド４１ｂに取り付けられる。具体的には、連結具６の足部６２をブラシユニット５ｂの連結孔５２４ｂに挿通させて、連結具６に順にブラシユニット５ｂを取り付けた後、足部６２をヘッド４１ｂの挿入孔に挿入させて、取り付ける。
【００６８】
また、ヘッド４１ｂに係止孔４４ｂが設けられている場合は、これに係止された足部６１の係止爪６２１を押し込むことにより、ブラシユニット５ｂ及び連結具６をブラシヘッド４１ｂから取り外すことができる。
【００６９】
図８に示すように、ヘッド４１ｂには、ブラシユニット５ｂを２つ取りつけても良いし、１つ取りつけてもよい。ブラッシングの目的に応じて適宜調整することができる。また、連結具６の足部６２の長さや、ヘッド４１ｂの長手方向の長さも取り付けるブラシユニット５ｂの数に応じて適宜設定することができる。
【００７０】
＜実施形態３の変形例１＞
図９は、実施形態３の変形例１に係るブラシ部２ｃを説明するための図である。ブラシ部２ｃは、さらに、調整具７を含む。
【００７１】
調整具７は、略立方体状に形成され、長手方向に貫通する連結孔（図示せず）が設けられる。調整具７を、ブラシユニット５ｂと同様に、連結具６に通して、ヘッド４１ｂに取り付けることによって、ブラシユニット５ｂ同士の間隙や、ブラッシングの際のブラシユニット５ｂが歯に当接する位置を調整することができる。
【００７２】
＜実施形態４＞
図１０は実施形態４に係る歯ブラシ１０００を説明するための図である。歯ブラシ１０００は、歯ブラシ本体１ｄと、被覆具８とを含む。歯ブラシ本体１ｄは、実施形態１に係る歯ブラシ１と同様であるため、その構成部分については同様な符号を用いてその説明を省略する。
【００７３】
被覆具８は、少なくとも、ヘッド４１及びブラシユニット５の基台５２の露出部分を覆う部材である。一例として、図示のように、ネック４２の一部を覆うように形成されてもよい。
【００７４】
被覆具８は、軟質素材で形成される。一例として、軟質樹脂、例えばシリコーンで形成される。また、被覆具８は、所定の伸縮性を備えており、ブラシユニット５がヘッド４１に取り付けられた後に、ヘッド４１及び基台５２の露出部分を覆うように組み立てられる。
【００７５】
また、被覆具８は、軟質素材に粉体が混合された素材によって形成されてもよい。粉体は、例えば、シリカ粉体、金属粉体、シリコン粉体、シリコーンゴム粉体、ポリエーテル変性シリコーン、有機樹脂粉体等である。
【００７６】
歯ブラシ１０００は、基台５２の露出部分及びヘッド４１が被覆具８によって覆われるため、これらのバリ（成形時のゲート残部等）処理等は粗処理で済むことができ、作業工数を減らして、コストを低減することができる。また、粉体を混合した素材を用いれば、例えばシリコーン等の軟質素材の場合でも、滑りをよくして、ブラッシングの際の被覆具８の感触を向上させることができる。
【００７７】
なお、ブラシ本体１ｄは、図１１に示すように、実施形態３に係る歯ブラシ１ｂと同様であってもよい。
【００７８】
＜実施形態５＞
図１２は、実施形態５に係る歯ブラシ１１００を説明するための図である。歯ブラシ１１００は、ブラシ部２ｅと、把持部３とを含む。また、ブラシ部２ｅは、ブラシ部本体４ｅと、ブラシユニット５とを含む。把持部３及びブラシユニット５は、実施形態１と同様であるため、説明を省略する。
【００７９】
ブラシ部本体４ｅは、ヘッド４１と、ネック４２と、被覆部４５ｅとを含む。ヘッド４１及びネック４２は、実施形態１と同様であるため、説明を省略する。
【００８０】
被覆部４５ｅは、少なくとも、ヘッド４１を覆う部分である。一例として、図示のようにネック４２を覆うように形成されてもよい。また、被覆部４５ｅは、図示のように、ヘッド４１のブラシ孔４１１を背面側から覆うように形成される。
【００８１】
被覆部４５ｅは、軟質素材で形成される。また、被覆部４５ｅは、ブラシユニット５がヘッド４１に取り付けられる前に、ヘッド４１を覆うように形成される。一例として、被覆部４５ｅは、エラストマーで形成される。例えば、射出成型機を用いて、把持部３及びヘッド４１、ネック４２を硬質樹脂で成形した後に、さらに、エラストマーで重ね成形することによって、形成される。
【００８２】
歯ブラシ１１００は、基台５２の露出部分及びヘッド４１が被覆部４５ｅによって覆われるため、これらのバリ（成形時のゲート残部等）処理等は粗処理で済むことができ、作業工数を減らして、コストを低減することができる。
【００８３】
以上、本発明に係る歯ブラシの実施形態について説明したが、これらは本発明の実施形態の一例に過ぎず、本発明はこれらに限定されるものではない。本発明には、以上の各実施形態を組み合わせた形態や、様々な変形例が含まれる。
【符号の説明】
【００８４】
１              歯ブラシ
２              ブラシ部
３              把持部
４              ブラシ部本体
４１            ヘッド
４２            ネック
４５ｅ          被覆部
５              ブラシユニット
５１            毛束
５２            基台
５００          ブラシユニットシート
５０１          基台シート
６              連結具
７              調整具
８              被覆具
１０            取付用具
【図１】
2017131333.tif 000003
【図２】
2017131333.tif 000004
【図３】
2017131333.tif 000005
【図４】
2017131333.tif 000006
【図５】
2017131333.tif 000007
【図６】
2017131333.tif 000008
【図７】
2017131333.tif 000009
【図８】
2017131333.tif 000010
【図９】
2017131333.tif 000011
【図１０】
2017131333.tif 000012
【図１１】
2017131333.tif 000013
【図１２】
2017131333.tif 000014